(57)【要約】      （修正有）【課題】ポスターの交換を容易にし、さらに視覚的効果を高めた掲示板を提供する。【解決手段】ポスター２０を固定するホルダー２２を基板１２上に重ねて配置し、ホルダー２２をフレーム１６で囲んで前面カバー２４で覆った構造のものである。フレーム１６には、基板１２との間にホルダー２２の側縁を抜き差しするためのスリット１８が設けられている。フレーム１６には、ポスター２０を照射するための発光素子アレイ３０が固定されている。前面カバー２４は、ポスター２０を見通せる透明な窓により構成されている。前面カバー２４を外さないでポスター２０を簡単に交換できる。効果的なライトアップが可能になる。【選択図】図１
0003206095.tif 000002
【実用新案登録請求の範囲】
【請求項１】
ポスターを固定するホルダーを基板上に重ねて配置し、上記ホルダーをフレームで囲んで前面カバーで覆った構造のものであって、
上記基板は上記ホルダーと接する面を有し、
上記フレームには、上記基板との間に上記ホルダーの側縁を抜き差しするためのスリットが設けられており、
上記フレームには、上記ポスターを照射するための線状あるいは面状の発光体が固定されており、
上記前面カバーは、上記ポスターを見通せる透明な窓により構成されていることを特徴とする掲示板。
【請求項２】
上記ホルダーの一部に、このホルダーを上記フレームと基板の間から引き出すときに手を掛ける引き出し加工が設けられていることを特徴とする請求項１に記載の掲示板。
【請求項３】
ポスターを固定する透明ホルダーを基板上に重ねて配置し、上記透明ホルダーをフレームで囲んで前面カバーで覆った構造のものであって、
上記基板は上記透明ホルダーと接する面が鏡面にされており、
上記フレームには、上記基板との間に透明ホルダーの側縁を抜き差しするためのスリットが設けられており、
上記透明ホルダーは、上記ポスターを、上記基板の鏡面を見通せるような余地を残して固定できる形状にされており、
上記フレームには、上記ポスターを照射するための線状あるいは面状の発光体が固定されており、
上記前面カバーは、上記ポスターとその周辺の基板の鏡面を見通せる透明な窓により構成されていることを特徴とする請求項１または２に記載の掲示板。
【請求項４】
上記発光体の発する光の一部が、上記透明ホルダーを通して上記基板の鏡面で反射され、この反射光の一部が、上記前面カバーにより反射して基板の方向に戻るように、上記発光体の位置と光の放射方向が選定されていることを特徴とする請求項３に記載の掲示板。
【請求項５】
上記前面カバーはハーフミラーにより構成されることを特徴とする請求項４に記載の掲示板。
【考案の詳細な説明】
【技術分野】
【０００１】
本考案は、広告用のポスター等の展示物をライトアップして見せるような目的で使用される掲示板に関する。
【背景技術】
【０００２】
ゲームセンターやパチンコ店あるいは鉄道の駅やスーパーマーケットなどで、顧客に対してイベントや商品を紹介するために多数のポスターが使用されている。見易く特徴のあるポスターは、顧客を引きつけ、売り上げに大きく貢献する。夜間にライトアップされたポスターは、特に宣伝効果が高い。展示物に効果的な照明を施す目的で、様々な技術が開発されている（特許文献１）（特許文献２）（特許文献３）（特許文献４）。
【先行技術文献】
【特許文献】
【０００３】
【特許文献１】特開２００６−３４３２１号公報
【特許文献２】特開２００６−２２７１４０号公報
【特許文献３】特開２００９−１６３０１６号公報
【特許文献４】特開２０１６−８５２６７号公報
【考案の概要】
【考案が解決しようとする課題】
【０００４】
上記のような従来の掲示板にはそれぞれ以下のような解決すべき課題があった。
従来の掲示板は、ポスターを収容する部分やポスターを照らす照明等の設備が複雑な構造をしており、ポスターの交換作業が煩雑であった。例えば、まず、掲示板の前面を覆うガラスを外し、中に貼り付けられた古いポスターを剥がして新しいポスターを貼り、照明用のランプを清掃して、その向きの調整をして、再び前面ガラスをボルトなどで固定するといった作業が必要であった。
【０００５】
しかしながら、イベントや日替わりの商品を紹介するようなポスターの入れ替えは、より迅速に行えることが好ましい。さらに、構造が複雑な理由には、ポスターをライトアップするための照明の位置やその取り付け構造に問題がある。ポスターをより目立つようにするためには照明に様々な効果を持たせ、その構造もますます複雑化する傾向にある。
【０００６】
本考案では、ポスターの交換を簡便に迅速に行えるようにし、さらに、比較的簡単な照明構造を採用して、ポスターを見る人の目を強く引き付けるようにライトアップできる掲示板を提供することを目的とする。
【課題を解決するための手段】
【０００７】
以下の構成はそれぞれ上記の課題を解決するための手段である。
【０００８】
＜構成１＞
ポスターを固定するホルダーを基板上に重ねて配置し、上記ホルダーをフレームで囲んで前面カバーで覆った構造のものであって、
上記基板は上記ホルダーと接する面を有し、
上記フレームには、上記基板との間に上記ホルダーの側縁を抜き差しするためのスリットが設けられており、
上記フレームには、上記ポスターを照射するための線状あるいは面状の発光体が固定されており、
上記前面カバーは、上記ポスターを見通せる透明な窓により構成されていることを特徴とする掲示板。
【０００９】
＜構成２＞
上記ホルダーの一部に、このホルダーを上記フレームと基板の間から引き出すときに手を掛ける引き出し加工が設けられていることを特徴とする構成１に記載の掲示板。
【００１０】
＜構成３＞
ポスターを固定する透明ホルダーを基板上に重ねて配置し、上記透明ホルダーをフレームで囲んで前面カバーで覆った構造のものであって、
上記基板は上記透明ホルダーと接する面が鏡面にされており、
上記フレームには、上記基板との間に透明ホルダーの側縁を抜き差しするためのスリットが設けられており、
上記透明ホルダーは、上記ポスターを、上記基板の鏡面を見通せるような余地を残して固定できる形状にされており、
上記フレームには、上記ポスターを照射するための線状あるいは面状の発光体が固定されており、
上記前面カバーは、上記ポスターとその周辺の基板の鏡面を見通せる透明な窓により構成されていることを特徴とする構成１または２に記載の掲示板。
【００１１】
＜構成４＞
上記発光体の発する光の一部が、上記透明ホルダーを通して上記基板の鏡面で反射され、この反射光の一部が、上記前面カバーにより反射して基板の方向に戻るように、上記発光体の位置と光の放射方向が選定されていることを特徴とする構成３に記載の掲示板。
【００１２】
＜構成５＞
上記前面カバーはハーフミラーにより構成されることを特徴とする構成４に記載の掲示板。
【考案の効果】
【００１３】
＜構成１の効果＞
掲示板からポスターを抜き差しするときに、前面カバーを外さなくてよい。
＜構成２の効果＞
ポスターを固定したホルダーを簡単に抜き差しできる。
＜構成３の効果＞
前面カバーの外側から基板の方向を見た場合に、奥行きの深い輝いた空間が見える。ポスターの周りにこのような輝いた空間が存在すると、ポスターが浮き上がって見えて、強く人目を引くようにライトアップされる。
＜構成４の効果＞
発光体の位置と光の放射方向を選定するとさらに視覚的な効果が増す。
＜構成５の効果＞
前面カバーがハーフミラーで構成されると、基板の鏡面と前面カバーの間の光の反射がより効果的に生じる。
【図面の簡単な説明】
【００１４】
【図１】図１は本考案の掲示板１０の実施例を示す分解斜視図である。
【図２】図２（ａ）は基板１２の上面図、（ｂ）は透明ホルダー２２とポスター２０の上面図、（ｃ）は図１Ａ−Ａ線に沿う掲示板１０の横断面図、（ｄ）は（ｃ）の一部拡大図、（ｅ）は透明ホルダー２２とポスター２０の変形例上面図である。
【図３】図３（ａ）は掲示板１０の主要部の側面図、（ｂ）は図１のＢ−Ｂ線に沿う縦断面図、（ｃ）はフレーム１６と上蓋３２の斜視図である。
【図４】図４（ａ）〜（ｄ）は透明ホルダー２２の各種変形例部分拡大図、（ｅ）は掲示板１０の変形例正面図、（ｆ）はその側面図である。
【考案を実施するための形態】
【００１５】
以下、本考案の実施の形態を実施例毎に詳細に説明する。
【実施例１】
【００１６】
図１は本考案の掲示板１０の実施例を示す分解斜視図である。図２（ａ）は基板１２の上面図、（ｂ）は透明ホルダー２２とポスター２０の上面図、（ｃ）は図１Ａ−Ａ線に沿う掲示板１０の横断面図、（ｄ）は（ｃ）の一部拡大図、（ｅ）は透明ホルダー２２とポスター２０の変形例上面図である。
【００１７】
本考案の掲示板１０は、ポスター２０を固定した透明ホルダー２２を基板１２上に重ねて配置し、四方をフレーム１６で囲んで前面カバー２４で覆った構造のものである。基板１２は金属やプラスチックあるいは木材等の板により構成され、透明ホルダー２２と接する面が鏡面１４にされている。この実施例では、基板１２は全体が鏡として機能する。後で説明する効果を発揮するために、少なくとも透明ホルダー２２を通して基板１２が見える面が鏡面にされていることが望ましい。
【００１８】
図の実施例では、基板１２の縁に沿って左右縁と下縁にフレーム１６を配置した。後で説明する上蓋や下蓋に相当するものも、フレームと総称することにする。フレームは金属やプラスチックあるいは木材等により構成することができる。図２（ｃ）に示すように、フレーム１６には、基板１２との間に透明ホルダー２２の側縁２３を抜き差しできるようなスリット１８が設けられている。この構造により、透明ホルダー２２は、基板１２の面に平行に掲示板に抜き差しできる。従って、ポスター２０の交換のために前面カバー２４を取り外す必要がない。
【００１９】
ポスター２０は透明ホルダー２２に固定されて基板１２とフレーム１６の間に差し込まれる。透明ホルダー２２は、透明フィルムあるいは透明な板により構成される。図２（ｂ）の実施例のように、透明ホルダー２２とポスター２０を貼り付けただけでも構わない。また、図２（ｅ）の実施例のように、ポスター２０を透明フィルムで挟み込んで一体化しても構わない。
【００２０】
ポスター２０は、透明ホルダー２２に対して、基板１２の鏡面１４を見通せるような余地を残して固定される。ポスター２０を浮き上がらせるような視覚的な効果を発揮させるために、ポスター２０の全周にこのような余地が残されていることが好ましい。また、ポスター２０の形状は任意であって、一部に孔が空いていたり、透明なフイルムに印刷をしたものであったりすると、より一層視覚的な効果を高めることができる。
【００２１】
フレーム１６には、ポスター２０を照射するための発光素子アレイ３０が固定されている。発光素子アレイ３０は図示しない電源に接続されている。図２（ｄ）に示すように、発光素子アレイ３０の発する光の一部は、透明ホルダー２２を通して基板１２の鏡面１４で反射される。この反射光の一部は、前面カバー２４により反射して基板１２の方向に戻る。発光素子アレイ３０の発する光の向きや光量は、この効果を高めるように選定するとよい。例えば、素子の一部をポスター２０の方向に向け、別の一部を基板１２の方向に向けて、素子の位置や光の放射方向を適切に設定するとよい。
【００２２】
これにより、前面カバー２４の外側から基板１２の方向を見た場合に、奥行きの深い輝いた空間が見える。発光素子アレイ３０の光の色を各種選択するとさらに美しく輝く。ポスター２０の周りにこのような輝いた空間が存在すると、ポスター２０が浮き上がって見えて、強く人目を引くようにライトアップされる。なお、発光素子アレイに限らず、ポスター２０を照射するための線状あるいは面状の発光体であれば同様の機能を発揮する。
【００２３】
こうした効果を発揮するために、前面カバー２４は、例えば、ガラス板や透明なアクリル板等により構成するとよい。また、前面カバー２４を基板１２方向により多く光を反射するハーフミラーにしてもよい。いずれにしても、前面カバー２４は、ポスター２０とその周辺の基板１２の鏡面１４を見通せる透明な窓であればよい。
【００２４】
なお、図１に示すように、ポスター２０を固定した透明ホルダー２２には、掲示板１０への抜き差しを容易にするために切り欠き２６が設けられている。この説明を次の実施例２で行う。
【実施例２】
【００２５】
図３（ａ）は掲示板１０の主要部の側面図、（ｂ）は図１のＢ−Ｂ線に沿う縦断面図、（ｃ）はフレーム１６と上蓋３２の斜視図である。
【００２６】
上記のように、掲示板１０は、透明ホルダー２２を基板１２に平行に抜き差しできる。この透明ホルダー２２を抜き差し易いように、透明ホルダー２２の上部左右の隅に切り欠き２６を設けている。図３（ｃ）に示すように、フレーム１６の上部には横窓２８を設けている。ここから指３４を差し込んで、図３（ａ）に示すように、透明ホルダー２２の切り欠き２６に指３４をあてがう。これで、透明ホルダー２２を簡単に上方に引き出すことができる。
【００２７】
なお、この掲示板１０の上部には、図３（ｂ）と（ｃ）に示すように、上蓋３２を嵌め込んで、内部を保護するとよい。上蓋３２の下面に発光素子アレイ３０を取り付けてもよい。
【実施例３】
【００２８】
図４（ａ）〜（ｄ）は透明ホルダー２２の各種変形例部分拡大図、（ｅ）は掲示板１０の変形例正面図、（ｆ）はその側面図である。
透明ホルダー２２を引き出すための構造は、例えば、図４（ａ）に示すように、透明ホルダー２２の隅に孔３６を開けた構造でもよい。フック３８を使用して透明ホルダー２２を矢印方向に引き出すことができる。また、透明ホルダー２２の隅に孔３６を開けて紐４０やリングを取り付けておけば、そこをつまんで、透明ホルダー２２を引き出すことができる。
【００２９】
さらに、透明ホルダー２２に舌片４２を設けておくだけでもよい。また、上記の実施例では透明ホルダー２２を掲示板１０の上方に引き出す例を説明したが、図４（ｄ）に示すように、側方に引き出す構造でも構わない。このように透明ホルダー２２の一部に引き出し加工がされていればよい。さらに、図４（ｅ）と（ｆ）に示すように、下蓋４４を開いて透明ホルダー２２を掲示板１０の下方に引き出すようにすれば、透明ホルダー２２は重力で簡単に取り出すことができる。
【００３０】
以上のように、本考案の掲示板１０は、ポスター２０を取り囲むように配置されたフレーム１６に固定された発光体により、基板１２の鏡面１４と透明ホルダー２２と前面カバー２４との光学的な相乗効果で、簡単な構造でありながら、視覚的にきわめて効果的なポスター２０のライトアップが可能になる。
【００３１】
なお、一般にはポスターは、広告宣伝のための掲示物が主であるが、本考案の掲示板は、透明ホルダー２２に固定できる任意の掲示物に利用できる。従って、本考案で説明するポスターは広告宣伝のためのもの以外の掲示物も含むものとする。
【符号の説明】
【００３２】
１０  掲示板
１２  基板
１４  鏡面
１６  フレーム
１８  スリット
２０  ポスター
２２  透明ホルダー
２３  側縁
２４  前面カバー
２６  切り欠き
２８  横窓
３０  発光素子アレイ
３２  上蓋
３４  指
３６  孔
３８  フック
４０  紐
４２  舌片
４４  下蓋
【図１】
0003206095.tif 000003
【図２】
0003206095.tif 000004
【図３】
0003206095.tif 000005
【図４】
0003206095.tif 000006